(57)【要約】本発明は、特にスポーツ活動時に使用するための靴下に関する。靴下の踏み領域（１３）内には少なくとも１つの空調通路（２６）が設けられている。靴下の脚部内側及び／又は脚部外側に空気通路（２５）が設けられていてよく、これらの空気通路（２５）は踏み領域（１３）内で少なくとも１つの空調通路（２６）に接続されている。
2006515651.tif 000002
【特許請求の範囲】
【請求項１】
特にスポーツ活動時に使用するための靴下において、踏み領域（１３）内に少なくとも１つの空調通路（２６）が設けられていることを特徴とする、靴下。
【請求項２】
靴下の脚部内側及び／又は脚部外側に空気通路（２５）が設けられており、該空気通路（２５）が、踏み領域（１３）内で、少なくとも１つの空調通路（２６）に接続されている、請求項１記載の靴下。
【請求項３】
空調通路（２６）が、踏み領域（１３）に弓形の延びを有している、請求項１又は２記載の靴下。
【請求項４】
空調通路（２６）が、部分的な先細り部（２６１）を有している、請求項１から３までのいずれか１項記載の靴下。
【請求項５】
空調通路（２６）が、ほぼ円形状の横断面を有している、請求項１から４までのいずれか１項記載の靴下。
【請求項６】
空調通路（２６）が、中央通路（２６２）により互いに接続されている、請求項１から５までのいずれか１項記載の靴下。
【請求項７】
空気通路（２５）と空調通路（２６）とが、等しい材料より成っている、請求項２から６までのいずれか１項記載の靴下。
【請求項８】
空気通路（２５）が、空気調整する網状編み織布より成っている、請求項２から７までのいずれか１項記載の靴下。
【請求項９】
空調通路（２６）が、空気調整する網状編み織布より成っている、請求項１から８までのいずれか１項記載の靴下。
【請求項１０】
靴下が、Ｘ字形クロスバンデージ（２４）を備えている、請求項１から９までのいずれか１項記載の靴下。
【請求項１１】
靴下が、クッション（２２，２３）を有している、請求項１から１０までのいずれか１項記載の靴下。
【発明の詳細な説明】
【技術分野】
【０００１】
本発明は、特にスポーツ活動時に使用するための靴下に関する。
【０００２】
人の足は、しばしば堅固な靴内に収められる。このことは特に、例えばスポーツ活動時に人が多くかつ素早く運動する場合にいえる。堅固な靴によって既に足には高められた汗発生が生じる。人のスポーツ活動時にはこの汗発生は平均以上に高い。靴若しくは靴下内に汗が溜まることにより足における水泡形成の危険性が高められているので、靴若しくは靴下からの汗の搬出を可能しようとわずらわされている。
【０００３】
ドイツ連邦共和国実用新案第２９７１５７６２号明細書につき、特にフリータイムスポーツ種、例えばジョギング、インラインスケート、スキーなどを行う場合に使用するための、空気調整型の靴下が公知である。この靴下は、足裏から折返しにまで達する組み込まれた、空気調整する網状編み織布から成る空気通路を有している。この空気通路は生じた湿気の大部分の蒸発を可能する。この蒸発では、汗湿気が靴の底領域から靴下の所定の領域にまで搬送され、この領域で自由な蒸発が可能になっている。公知の空気調整型の靴下は、靴下に課せられた課題の全てを果たしている。
【０００４】
本発明の課題は、靴からの湿気の搬出をさらに改良することである。本発明によれば、この課題は踏み領域に少なくとも１つの空調通路が設けられていることにより解決される。
【０００５】
本発明により、靴若しくは靴下からの汗の搬出をさらに改良する、特にスポーツ活動のための靴下が形成されている。空調通路を踏み領域に設けることにより、足裏の領域に生じる湿気を、空調通路を介して直接に足裏の領域から搬出する可能性が生じる。この場合に湿気は靴の通気孔を通過して漏れ出ることができる。
【０００６】
本発明の発展形では、靴下の踏み領域が中央の空調通路を有しており、この中央の空調通路からは別の空調通路が靴下外側領域へ分岐している。これにより、踏み領域内で一様な空気が得られる。さらに通路間の圧力補償がもたらされるようになっており、このことは負荷時の一様な湿気除去をもたらす。さらに快適な踏み心地がもたらされる。
【０００７】
本発明の構成では空調通路が湾曲されているか、若しくは波形に案内されている。これにより、有効な通路長さの拡大が得られ、このことは一方では搬送容量の増大をもたらし、他方では踏み領域の冷却面が拡大される。
【０００８】
本発明の別の構成では、踏み領域の通路が絞られて構成されている。通路距離の部分的な先細り部により、加速された空気案内が得られるようになっており、このことは、踏み領域からの湿気の搬出をさらに加速し、この領域の冷却能力の向上をもたらす。
【０００９】
本発明の別の構成では、選択的に靴下の脚部内側及び／又は外側に空気通路が設けられており、この空気通路は、踏み領域で空調通路に結合されている。これにより、汗を足裏の領域から搬出するための付加的な距離が付与されている。脚部内側及び外側に空気通路が設けられている場合には、これらの空気通路の結合により付加的な空気循環が靴内にもたらされる。
【００１０】
本発明の別の構成では、靴下がクッションを有している。これらのクッションは、靴下の異なった箇所に配置されていてよい。これらのクッションは、一方では肌擦れを阻止し、他方では押圧箇所（あたり）が足に形成される危険を阻止する。
【００１１】
有利には靴下はＸ字形クロスバンデージを備えている。このＸ字形クロスバンデージは脚部と足との間の移行領域のくるぶしを保護する。
【００１２】
本発明の別の発展形及び構成が、従属請求項に記載されている。本発明の実施例を図面に示し、以下に個々に説明する。
【００１３】
実施例として選択された靴下（図１）は、足部１とシャフト２とから成っている。足部１はつま先領域１１と、かかと領域１２と、つま先領域とかかと領域との間に位置する踏み領域１３とを有している。これらの領域１１，１２及び１３は、実施例に示したように、強化された材料から製造されていてよい。例えばフリースウールと弾性繊維、例えばエラスタンとの材料組合せの使用も可能である。前記領域に付加的なクッション又はパディング（詰物）を配置することも可能である。
【００１４】
シャフト２は、足部１に向いていない方の端部に折返し２１を有している。ふくらはぎの領域に、シャフト２はクッション２２を備えており、図示の実施例ではストリップ状クッションが設けられている。クッションの別の形状も可能である。すねの下側領域にも、足部の甲の大部分にクッション２３が配置されている。アキレス腱の領域にクッションを配置することも同様に可能である。
【００１５】
クッションは一般に合成糸又は複合織物又は糸、又は類似の材料より製造されている。本実施例では、靴下のクッションは中空繊維から製造されており、これらの中空繊維はウール又は綿により被覆されている。中空合成糸は特に著しく衝撃・圧力緩衝性になっている。踏み領域１３は、摩耗の阻止を支援するマイクロ繊維編成品より製造されていてよい。つま先及びかかと領域でも要請に応じて足床がマイクロ繊維から製造されている。
【００１６】
さらに靴下はＸ字形クロスバンデージ２４を備えている。このＸ字形クロスバンデージ２４は、弾性的な空気調整する織物から形成されている。Ｘ字形クロスバンデージ２４は脚部と足との間の移行領域のくるぶしを保護する。
【００１７】
本実施例では、折返し２１から空気通路２５が出ている。この空気通路２５は踏み領域１３内にまで達しており、空気調整する網状編成布より形成されている。前記空気通路２５は、湿気を踏み領域から上方へ導出するために役立つ。このような空気通路２５は、脚部内側に、又は靴下の両側に設けられていてもよい。
【００１８】
靴下の踏み領域１３内には少なくとも１つの空調通路２６が設けられている。図２による実施例では３つの空調通路２６が設けられている。これらの空調通路２６により、前記踏み領域１３は中断されている。空調通路２６は、踏み領域の外縁で始まり、かつ終わっており、弓形に構成されており、これにより、有効な通路長さが拡大される。この効果は、図３による実施例では、空調通路の波形の構成によりさらに高められる。有効通路長さの拡大により、搬送容量が高められ、かつ踏み領域の冷却面が拡大される。
【００１９】
図４から判るように、空調通路２６は靴下の強化された踏み領域１３全体を貫通してよい、すなわち、足を挿入する側方領域にまで延びていてよい。空調通路２６は空気調整する網状編成布より形成されている。空調通路２６は次のように形成されていてよい、すなわち、網状編成布の厚さが踏み領域の厚さに対応しており、これにより、連続した表面が生じるように形成されていてよい。これにより、履き心地がポジティブに影響される。
【００２０】
図５による実施例では、靴下の踏み領域１３の空調通路２６が絞られて構成されている。空調通路２６の部分的な先細り部２６１により、空気案内の加速が得られる（いわゆるベンチュリ管原理）。これにより、一方では踏み領域１３からの湿気の搬出が加速され、他方では、この領域の冷却能力の向上が得られる。さらにこの利点は、空調通路２６がほぼ円形の横断面を有していることにより強化される（図６）。通路２６の閉じられていない区分が「ｂ」により示されている。負荷された場合には間隔ｂは最大の場合にはｂ＝０に減少し、これにより、閉じられた円形状の横断面がもたらされている。この場合に、空調通路２６は、ラバルノズルの形状を有しており、これにより、ポジティブな特性により付加的に改善されている。
【００２１】
図７による実施例では、踏み領域１３の長手方向中央軸線に中央通路２６２が配置されており、この中央通路２６２からは、両側に弓形の空調通路２６が分岐しており、これらの空調通路２６は踏み領域１３の外縁で終了している。中央通路６２６により空調通路２６が中央で結合されているにより、踏み領域１３にわたって一様な空気が得られる。さらに前記結合部は、全ての空調通路２６内に等しい圧力をもたらし、これにより、負荷された場合に一様な湿気除去が得られる。さらに一様な圧力が快適な踏み心地をもたらす。本実施例の変化態様では、中央通路２６２を、踏み領域１３を越えてつま先領域１１及び／又はかかと領域１２にまで延長する可能性が存在する。
【００２２】
図８による実施例では、脚部内側に空気通路２５が設けられている。この空気通路２５は足開口部まで延びている。足開口部と靴下の踏み領域１３との移行部では、放射線状に配置された空調通路２６が終わっている。このような配置により、踏み領域の広い領域が空調通路２６により到達されており、これにより、踏み領域全体から湿気の搬出が可能になっている。この場合に空調通路２６の幅及び長さは基本的には自由に選択可能である。空調通路２６の数も可変である。空調通路２６の長さ若しくは幅の拡大、又は空調通路２６の数の増大により、搬送可能な湿気量の増大が可能である。
【００２３】
図９による実施例では、脚部外側に同等に空気通路２５が設けられており、この空気通路２５からは３つの空調通路２６が出ている。これらの空調通路２６は足開口部まで放物線状に延びている。
【００２４】
図１０による実施例では、それぞれ靴下の脚部内側及び脚部外側に空気通路２５が配置されている。空調通路２６はこの場合には脚部内側の空気通路と脚部外側の空気通路との間に延びている。空調通路の数並びに寸法はこの場合にも基本的に自由に選択可能である。脚部内側及び脚部外側の空気通路２５を結合した場合には、靴内に最適な空気循環がもたらされ、これにより、湿気の最大限を靴若しくは靴下から搬出することができる。
【００２５】
図示の実施例のほかにも空調通路２６の分配及び配向の別の可能性がある。したがって、図８、図９及び図１０による実施例において、空調通路が足先端及び／又はかかとの領域内へ延びていることも可能である。これまで説明及び請求項で靴下に関して述べた限りでは本発明はこれらにのみ限定されず、むしろ靴下の概念にはストッキング、タイツ及びこれに類似のものを包含することができ、本発明は同様にこれらにも関している。
【図面の簡単な説明】
【００２６】
【図１】側方の空気通路とＸ字形クロスバンデージとクッションとを有する靴下の側面図である。
【図２】弓形の通路案内部を有する靴下の踏み領域の平面図である。
【図３】波形の通路案内部を有する靴下の踏み領域の平面図である。
【図４】図３に示した靴下の側面図である。
【図５】絞られた通路案内部を有する靴下の踏み領域の平面図である。
【図６】図５のＩＶ−ＩＶ線に沿った横断面図である。
【図７】中央通路案内部を有する靴下の踏み領域の平面図である。
【図８】脚部内側に付加的な空気通路を有する靴下の踏み領域の平面図である。
【図９】脚部外側に付加的な空気通路を有する靴下の踏み領域の平面図である。
【図１０】脚部内側及び外側に付加的な空気通路を有する靴下の踏み領域の平面図である。
【図１】
2006515651.tif 000003
【図２】
2006515651.tif 000004
【図３】
2006515651.tif 000005
【図４】
2006515651.tif 000006
【図５】
2006515651.tif 000007
【図６】
2006515651.tif 000008
【図７】
2006515651.tif 000009
【図８】
2006515651.tif 000010
【図９】
2006515651.tif 000011
【図１０】
2006515651.tif 000012
【国際調査報告】
2006515651.tif 000013
2006515651.tif 000014
2006515651.tif 000015
2006515651.tif 000016